(57)【特許請求の範囲】
【請求項１】
湯が張られた浴槽内において、少なくとも顔部全体を前記湯から露出させた状態で乳幼児を入浴させるための入浴用乳幼児チェアであって、
前記浴槽の縁部に掛け止め可能なフック形状を有し、前記縁部の厚みに応じて幅を調整可能な調整機構を有する２つの掛止部と、
前記２つの掛止部から前記浴槽内の底部に向けて延伸して前記底部に当接させるための脚を有し、前記浴槽内の深さに応じて前記脚が前記底部に当接するように伸縮する調整機構を有する２つの脚部と、
前記２つの脚部に跨って伸びる帯部と、
前記帯部に装着され、前記乳幼児の足を挿入させて股間を支持する座面部と、
を備え、
前記２つの脚部は、強硬性を有する材質で構成されており、
前記帯部及び前記座面部は、折り曲げ可能な柔軟性を有する材質で構成されており、
前記２つの脚部と前記帯部とに跨って設けられ、前記２つの脚部と前記帯部とを開動可能に連結する蝶番を有することを特徴とする入浴用乳幼児チェア。
【請求項２】
請求項１に記載の入浴用乳幼児チェアであって、
前記底部に接触する前記脚の当接部は、滑り止めの凹凸部が形成されていることを特徴とする入浴用乳幼児チェア。
【発明の詳細な説明】
【技術分野】
【０００１】
本発明は、入浴用乳幼児チェアに関する。
【背景技術】
【０００２】
一般的に、乳幼児は一人で入浴することが出来ず、保護者と一緒に風呂を利用する。保護者と一緒に浴槽に浸かっている状態であれば問題はないが、保護者が体や頭を洗っているときに、乳幼児を一人で浴槽に浸からせたまま放置することはできないため、その間、乳幼児を洗い場に座らせるなどの対応が必要である。しかし、冬場は、洗い場に座らせたままであると湯冷めする可能性があるため、乳幼児を一人で安全に入浴させることが望まれている。
【０００３】
本発明に関連する技術として、例えば、特許文献１には、引っ掛け部（１）の軸に体支え部（２）を設け、体支え部（２）に体受け部（３）を設けたことを特徴とした浴槽用ベビーチェアが開示されている。
【先行技術文献】
【特許文献】
【０００４】
【特許文献１】特開平１０−１５１０４６号公報
【発明の概要】
【発明が解決しようとする課題】
【０００５】
乳幼児を入浴させるために特許文献１のような構成を用いることは可能であるが、特許文献１の浴槽用ベビーチェアは、引掛け部のみで引掛けているだけで浴槽内においてチェアが浮いた状態であり、重力方向の支えがないため、乳幼児を載せた状態で安定して使用することが難しい状況にある。
【０００６】
本発明の目的は、安定した状態、かつ、安全に乳幼児を入浴させることを可能とする入浴用乳幼児チェアを提供することである。
【課題を解決するための手段】
【０００７】
本発明に係る入浴用乳幼児チェアは、湯が張られた浴槽内において、少なくとも顔部全体を前記湯から露出させた状態で乳幼児を入浴させるための入浴用乳幼児チェアであって、前記浴槽の縁部に掛け止め可能なフック形状を有し、前記縁部の厚みに応じて幅を調整可能な調整機構を有する２つの掛止部と、前記２つの掛止部から前記浴槽内の底部に向けて延伸して前記底部に当接させるための脚を有し、前記浴槽内の深さに応じて前記脚が前記底部に当接するように伸縮する調整機構を有する２つの脚部と、前記２つの脚部に跨って伸びる帯部と、前記帯部に装着され、前記乳幼児の足を挿入させて股間を支持する座面部と、を備え、前記２つの脚部は、強硬性を有する材質で構成されており、前記帯部及び前記座面部は、折り曲げ可能な柔軟性を有する材質で構成されており、前記２つの脚部と前記帯部とに跨って設けられ、前記２つの脚部と前記帯部とを開動可能に連結する蝶番を有することを特徴とする。
【００１０】
また、本発明に係る入浴用乳幼児チェアであって、前記底部に接触する前記脚の当接部は、滑り止めの凹凸部が形成されていることが好ましい。
【発明の効果】
【００１１】
本発明によれば、安定した状態、かつ、安全に乳幼児を入浴させることができるという顕著な効果を奏する。
【図面の簡単な説明】
【００１２】
【図１】本発明に係る実施形態の入浴用乳幼児チェアを示す図である。
【図２】本発明に係る実施形態の入浴用乳幼児チェアを浴槽に装着して乳幼児を座らせている様子を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、本発明に係る実施形態の入浴用乳幼児チェア１０を示す図である。図２は、入浴用乳幼児チェア１０を浴槽２に装着して乳幼児４を座らせている様子を示す図である。
【００１５】
入浴用乳幼児チェア１０は、湯が張られた浴槽２内において、顔部全体を湯から露出させた状態で乳幼児４を入浴させるための椅子である。入浴用乳幼児チェア１０は、２つの掛止部１２と、２つの脚部１４と、帯部１６と、座面部１８とを備えている。
【００１６】
浴槽２は、一戸建住宅やマンションなど様々な住宅事情がある中で、種々の規格サイズが準備されているが、例えば、横幅と奥行と高さについての一例を挙げると、横幅８００ｍｍ×奥行７００ｍｍ×高さ６４５〜６６０ｍｍなどの略箱型形状を有している。
【００１７】
少し大きいサイズのものとして、横幅１０００ｍｍ×奥行７００ｍｍ〜７２０ｍｍ×高さ６００〜６６０ｍｍのバスタブや、横幅１２００ｍｍ×奥行６８５〜７５０ｍｍ×高さ５５０〜６５０ｍｍのバスタブなどがあるが、これらは一例であり、もちろん、その他のサイズも設定することが可能である。
【００１８】
浴槽２は、上記のように、様々なサイズのものが存在し、強度などの観点から厚みｔについても所定の厚みが設定されており、例えば、１００ｍｍ〜１５０ｍｍに設定することができる。浴槽２の材質は、適度な強度を有する材質、例えば、ＦＲＰ（ガラス繊維強化プラスチック）、ホーロー、ステンレス、人造大理石、木製、タイルを用いることが出来る。
【００１９】
２つの掛止部１２は、浴槽２の縁部３に掛け止め可能なフック形状を有し、縁部３の厚みｔに応じて幅を調整可能な調整機構１３と突起部１１を有する。各掛止部１２は、略Ｕ字形状（図１では、上下逆となるＵ字）の円筒部材を含んで構成される。
【００２０】
各掛止部１２は、適度な強硬性を有する材質、例えば、プラスチックなどの合成樹脂を用いることが可能であるが、もちろん、スチールなどの金属を用いてもよい。
【００２１】
調整機構１３は、略Ｕ字形状の円筒部材のうち一方端側に設けられている。調整機構１３は、螺子操作部１３ａと、螺子本体部１３ｂと、当接部１３ｃとを備えている。
【００２２】
螺子本体部１３ｂは、掛止部１２の円筒部材に形成された螺子孔に螺合可能な螺子溝が形成された部材である。螺子操作部１３ａは、螺子本体部１３ｂを螺合させるために操作するハンドル部材である。
【００２３】
当接部１３ｃは、螺子本体部１３ｂにおいて螺子操作部１３ａと反対側に設けられ浴槽２の縁部３の外側に当接可能な部材である。突起部１１は、略Ｕ字形状の円筒部材のうち他方端側に設けられた突起部材であり、浴槽２の縁部３の内側に当接可能な部材である。
【００２４】
ここで、螺子操作部１３ａを締め付けたり緩めたりすることで、浴槽２の縁部３の厚みに応じて、当接部１３ｃと突起部１１との間の距離を変えることができるが、これに加えて、当接部１３ｃと突起部１１との間の距離を大きく変えるために長さ調整部１２ａが形成されている。
【００２５】
図１の下図に、長さ調整部１２ａの拡大図を示している。長さ調整部１２ａは、径が大きい筒部１２ｅと、筒部１２ｅよりも径が小さい筒部１２ｃとを有し、筒部１２ｅの内部に筒部１２ｃが挿通可能になっている。
【００２６】
筒部１２ｅは、複数の貫通孔１２ｂ（図１の例では３つ）が形成されている。筒部１２ｃは、貫通孔１２ｂに挿通可能な突起部１２ｄが形成されている。突起部１２ｄは、押圧力が加わることで、図１の点線で示されるように収納され、押圧力がない状態では突出するように付勢力が与えられている。
【００２７】
このように、突起部１２ｄが複数の貫通孔１２ｂのいずれに挿通されるかにより、長さ（当接部１３ｃと突起部１１との間の距離）を調整することができる。
【００２８】
２つの脚部１４は、２つの掛止部１２から浴槽２内の底部に向けて延伸して底部に当接させるための脚を有し、浴槽２内の深さに応じて脚が底部に当接するように伸縮する調整機構１４ａを有する。
【００２９】
各脚部１４は、略Ｉ字形状の円筒部材を含んで構成される。この円筒部材の上端部は各掛止部１２の他方端の径よりも小さい径を有し、掛止部１２に挿通可能であり、脚部１４の上端部の掛止部１２への挿入量により、長さを調整することが出来るが、構造は長さ調整部１２ａと同じ構造である。具体的には、掛止部１２の他方端側に形成された複数の貫通孔のいずれかに脚部１４の上端側に設けられた突起部を差し込むことで長さを調整する。
【００３０】
脚部１４は、浴槽２内の底部に当接可能な脚部材１５を有する。脚部材１５は、滑り止めの凹凸部が形成されて滑り止め加工がなされることが好ましいが、ゴムなどを用いて摩擦力を高めることも出来る。
【００３１】
脚部材１５は、脚部１４の円筒部材の下端部に嵌合して固定する着脱構造を有している。この着脱構造は、長さ調整部１２ａの同様の構造を有し、円筒部材の下端部に設けられる貫通孔と、脚部材１５に設けられる突起部とを嵌合させること着脱可能にしている。
【００３２】
帯部１６は、脚部１４の上部において、２つの脚部１４に跨って伸びる帯部材である。帯部１６は、所定の厚みを有する板状部材であり、適度な柔軟性を有する材質、例えば、ゴム部材を用いて構成することが出来る。
【００３３】
なお、２つの脚部１４と帯部１６とに跨るように蝶番が設けれ、２つの脚部１４と帯部１６とを開動可能に連結している。
【００３４】
座面部１８は、帯部１６に装着され、乳幼児４の足を挿入させて股間を支持する機能を有する。座面部１８は、図１に示されるように日の字状（図１の例では、９０°回転させた状態の「日」）適度な柔軟性を有する材質、例えば、ゴム部材を用いて構成することができる。なお、座面部１８には、乳幼児４を座らせたときに肩にかけるための肩掛け紐を取り付けているが、バックル部を着脱することで装着するような構成にしておくことが好ましい。
【００３５】
ここで、帯部１６及び座面部１８は、折り曲げ可能な柔軟性材質で構成されているため、例えば、脚部１４の伸びる延伸方向に沿った二つ折りに曲げることが出来る。これにより、コンパクトな状態にまとめることが出来る。
【００３６】
続いて、上記構成の入浴用乳幼児チェア１０の作用について説明する。一般的に、乳幼児４は一人で入浴することが出来ず、保護者と一緒に風呂を利用する。
【００３７】
保護者と一緒に浴槽２に浸かっている状態であれば問題はないが、保護者が体や頭を洗っているときに、乳幼児４を一人で浴槽２に浸からせたまま放置することはできないため、その間、乳幼児４を洗い場に座らせるなどの対応が必要である。
【００３８】
冬場は、洗い場に座らせたままであると湯冷めする可能性があるため、乳幼児４を一人で安全に入浴させることが望まれている。
【００３９】
そこで、入浴用乳幼児チェア１０を準備し、浴槽２の縁部３に掛止部１２を引掛け、脚部１４が浴槽２内に伸びるように設置する。
【００４０】
このとき、浴槽２の幅に応じて長さ調整部１２ａと調整機構１３を用いて、当接部１３ｃと突起部１１との間の距離が縁部３の厚みに一致させて、螺子操作部１３ａを締め付けることで掛止部１２をしっかりと固定した状態にする。
【００４１】
そして、調整機構１４ａを用いて、浴槽２の高さに合せて、脚部材１５が浴槽２内の底部に当接するように脚部１４の長さを調整する。これにより、重力方向に対してもしっかりと支えることが出来る。
【００４２】
このように入浴用乳幼児チェア１０を設置した後、乳幼児４を図２に示されるように、座面部１８に座らせて、肩掛け紐を通した状態にして、顔から肩の上部が湯から露出させた安全な状態で入浴させることが出来る。
【００４３】
帯部１６及び座面部１８によって乳幼児４の腰と尻がしっかりと覆って固定されているため、乳幼児４は倒れたりすることなく、安全な状態を保って入浴させることができ、これにより、乳幼児４を一人で入浴させた状態で保護者は体や頭を洗うことが出来る。
【００４４】
上記のように、バスタブは様々な大きさが存在するが、入浴用乳幼児チェア１０によれば、浴槽２の縁部３の厚みに合せて掛止部１２の幅を一致させることができるため、乳幼児４が前後方向に揺れ動いた場合であっても、外れることなくしっかりと引掛けた状態を保持することができる。
【００４５】
また、入浴用乳幼児チェア１０によれば、乳幼児４が上下方向に揺れ動いた場合であっても、脚部材１５が底部に当接して支えるため、安定した状態で入浴させることが出来るという顕著な効果を奏する。
【００４６】
さらに、入浴用乳幼児チェア１０は、乳幼児４の入浴を終えた後は、帯部１６及び座面部１８を折り曲げることにより、コンパクトな形にした状態で収納することができるため、省スペース化に貢献することも出来る。
【符号の説明】
【００４７】
２  浴槽、３  縁部、４  乳幼児、１０  入浴用乳幼児チェア、１１  突起部、１２  掛止部、１２ａ  長さ調整部、１２ｂ  貫通孔、１２ｃ  筒部、１２ｄ  突起部、１２ｅ  筒部、１３  調整機構、１３ａ  螺子操作部、１３ｂ  螺子本体部、１３ｃ  当接部、１４  脚部、１４ａ  調整機構、１５  脚部材、１６  帯部、１８  座面部。
【要約】
【課題】安定した状態、かつ、安全に乳幼児を入浴させることを可能とする入浴用乳幼児チェアを提供することである。
【解決手段】入浴用乳幼児チェア１０は、湯が張られた浴槽２内において、少なくとも顔部全体を湯から露出させた状態で乳幼児４を入浴させるための入浴用乳幼児チェア１０であって、浴槽２の縁部３に掛け止め可能なフック形状を有し、縁部３の厚みに応じて幅を調整可能な調整機構１３を有する２つの掛止部１２と、２つの掛止部１２から浴槽２内の底部に向けて延伸して底部に当接させるための脚部材１５を有し、浴槽２内の深さに応じて脚部材１５が底部に当接するように伸縮する調整機構を有する２つの脚部１４と、２つの脚部１４に跨って伸びる帯部１６と、帯部１６に装着され、乳幼児４の足を挿入させて股間を支持する座面部１８と、を備える。
【選択図】図１【図１】
0006675669.tif 000002
【図２】
0006675669.tif 000003